(57)【特許請求の範囲】
【請求項１】
技工物を保持するためのピンを植立した歯科模型を取り付ける技工物スタンドであって、
本体を具備するとともに、該本体には前記ピンを保持する保持手段が設けられ、
前記保持手段は変形可能とされており、
前記本体及び前記保持手段は透光性を有していることを特徴とする技工物スタンド。
【請求項２】
前記保持手段は、複数の穴又は保持突起の少なくとも一方を含み、
前記複数の穴は、前記ピンを差し込んで保持可能な穴であり、該穴の形状が変形可能とされ、
前記保持突起は、前記ピンを挟持して保持可能な複数の突起を有し、該突起の形状が変形可能とされている、請求項１に記載の技工物スタンド。
【請求項３】
前記保持手段及び前記本体が耐熱温度８０℃以上であることを特徴とする請求項１又は２に記載の技工物スタンド。
【発明の詳細な説明】
【技術分野】
【０００１】
本発明は、歯科、歯科技工の分野で用いられる技工物スタンドに関する。特に、光重合型材料及び加熱重合型材料（以下、合わせて「重合材料」と記載する。）を被覆や塗布等により配置した技工物を重合器に効率良く安定して配置させることができる技工物スタンドに関する。
【背景技術】
【０００２】
歯科補綴物を製作するために、歯科模型に技工物を配置し、これに重合材料を塗布する等して配置し、重合器で硬化させることがある。このとき、重合材料を配置した歯科模型を重合器内に安定して設置するため、複数の穴を有する部材である技工物スタンドに、ダウエルピンを植立した歯科模型や、ポストといった短い棒状部材が差し込まれた歯科模型を配置することが多い（以下、ダウエルピンやポストを総称して「ピン」と記載することがある。）。
【０００３】
特許文献１には、従来の例にかかる技工物スタンド（歯科技工用ポストスタンド）が開示されている。すなわち、重合器内で歯科模型を安定して配置させるためのピン（ポスト）を挿入させる穴を有する円柱状の技工物スタンドである。そしてこれは、穴を有する面にダウエルピン用の帯状のスリットをさらに設けることを特徴としている。
【０００４】
これによれば、技工物スタンドの穴には、歯科模型に設けられたピン（ポスト）を差し込み、歯科模型を安定して技工物スタンドに保持できるとしている。このときには歯科模型の表面には技工物が配置され、ここに重合材料が塗布等により配置されている。そして、技工物スタンドごと歯科模型を重合器内に設置すれば、歯科模型、及びここに配置された重合材料を重合器内に安定して設置することができる。
一方、ダウエルピン用の帯状のスリットには、ツインピンと呼ばれる２本出し形状のピン（ダウエルピン）を具備する歯科模型を差し込むことができる。また、１本ずつ独立したピンを２本埋入している歯科模型を載置する場合にもスリットにそれぞれのピンを差し込むことで、ピン同士の距離がいかなる場合でも容易に差し込むことができるとされている。
【先行技術文献】
【特許文献】
【０００５】
【特許文献１】特開２００８−２９５９０８号公報
【発明の概要】
【発明が解決しようとする課題】
【０００６】
しかしながら、従来の技工物スタンドでは、複数のピンを備える歯科模型に対してはピンの位置と穴の位置が一致するように穴の選択をすることに工夫が必要となり、手間がかかることがあった。また、特許文献１に開示された技工用スタンドでは、穴とスリットとの組み合わせにより複数のピンを備える歯科模型の配置に関して自由度が増し、配置の容易性が向上した。しかし、これにも限界があり、１つの歯科模型に配置されているピンがさらに多くなればやはりその設置に困難があった。
【０００７】
また、重合材料をより効率的に硬化させる観点や、１つの技工用スタンドに複数の歯科模型を配置した方が効率がよい等の観点も含め、より自由度高く歯科模型を配置することができる技工物スタンドがあれば利便性がよい。
【０００８】
そこで本発明は、歯科模型を配置する自由度を高め、配置の困難性を低減することができる技工物スタンドを提供することを課題とする。
【課題を解決するための手段】
【０００９】
以下、本発明について説明する。
【００１０】
請求項１に記載の発明は、技工物を保持するためのピンを植立した歯科模型を取り付ける技工物スタンドであって、本体を具備するとともに、該本体にはピンを保持する保持手段が設けられ、保持手段は変形可能とされており、本体及び保持手段は透光性を有していることを特徴とする技工物スタンドである。
【００１１】
請求項２に記載の発明は、請求項１に記載の技工物スタンドにおいて、保持手段は、複数の穴又は保持突起の少なくとも一方を含み、複数の穴は、ピンを差し込んで保持可能な穴であり、該穴の形状が変形可能とされ、保持突起は、ピンを挟持して保持可能な複数の突起を有し、該突起の形状が変形可能とされている。
【００１２】
請求項３に記載の発明は、請求項１又は２に記載の技工物スタンドにおいて、保持手段及び本体が耐熱温度８０℃以上であることを特徴とする。
【発明の効果】
【００１３】
本発明の技工物スタンドによれば、歯科模型を配置する自由度を高め、配置の困難性を低減することができる。
【図面の簡単な説明】
【００１４】
【図１】第一実施形態にかかる技工物スタンドの平面図である。
【図２】図１にＩＩ−ＩＩで示した線に沿った断面図である。
【図３】歯科補綴物の製造について説明する図である。
【図４】第二実施形態にかかる技工物スタンドを説明する図で、図４（ａ）が平面図、図４（ｂ）が切断面を表す端面図である。
【図５】第三実施形態にかかる技工物スタンドの斜視図である。
【図６】第四実施形態にかかる技工物スタンドを説明する図で、図６（ａ）が平面図、図６（ｂ）が切断面を表す端面図である。
【図７】第五実施形態にかかる技工物スタンドを説明する図で、図７（ａ）が平面図、図７（ｂ）が断面図である。
【発明を実施するための形態】
【００１５】
本発明の上記した作用及び利得は、次に説明する発明を実施するための形態から明らかにされる。以下、本発明を図面に示す実施形態に基づき説明する。ただし本発明はこれら実施形態に限定されるものではない。各図では見やすさのため、繰り返しとなる符号は省略していることがある。
【００１６】
図１は、第一実施形態にかかる技工物スタンド１０の平面図である。図２は図１にＩＩ−ＩＩで示した線に沿った断面図である。図１、図２を参照しつつ技工物スタンド１０について説明する。
【００１７】
図１、図２からわかるように、技工物スタンド１０は全体として円柱状の部材である本体１１を具備している。そして、本体１１の上面からは、円柱の軸に平行に延びる保持手段としての複数の穴１２が開けられている。本実施形態では穴１２は円柱の軸方向他方の端部には至っておらず、貫通していないが、特に限定されることなく貫通していてもよい。
すなわち、本実施形態では穴１２が後述する歯科模型に具備されるピン５４、６４、６５（図３参照）を保持する保持手段として機能する。実際にピン５４、６４、６５保持するのは穴１２が設けられた本体１１の壁面であるが、ここでは当該本体１１の壁面を含めて穴１２を保持手段として説明する。
【００１８】
本実施形態では、円柱の軸に直交する断面において、穴１２は六角形の断面を有している。これにより、後述するように穴１２にピン５４、６４、６５（図３参照）を差し込んだときにピン５４、６４、６５と本体１１（穴１２の壁面）との接触面積を適切なものとすることができる。従って、歯科模型を十分に保持しつつもピン５４、６４、６５の抜き差しを容易とすることが可能となる。ただし、これに限定されることはなく、必要に応じて、円形、楕円形、その他の多角形、一方に長い溝状であってもよい。
また、本実施形態では円柱の軸方向において下端部以外では穴１２は同じ太さとされているが、これに限定されることなく、深さ方向に細くなるように形成されていてもよい。これによれば先細であるピンが用いられた場合にも接触面積を大きくとることができ、保持力を高く維持できる。また、技工物スタンド１０の製造の際に、型からの離型性を向上させることも可能となる。
【００１９】
ここで、各穴１２は、その長手方向に直交する断面（図１に表れる形状）において、その周囲長が１０ｍｍ以上であることが好ましい。また、各穴１２の長手方向に直交する断面の断面積を当該周囲長で除した値で定義される相当径が１０ｍｍ以下であることが好ましい。これにより小さめの歯科模型を配置したときであっても、該歯科模型の全部が穴１２内へ落ちてしまうことを防止することができる。
【００２０】
また保持手段としての穴１２を形成する本体１１は、軟らかい材料により形成されており、弾性に富むものとなっている。これにより、穴１２の形状を変形させることができる。これによれば、ピン５４、６４、６５の位置と穴１２の位置とがずれていた場合に、その位置ずれに対して穴１２が変形して対応することができ、ピン５４、６４、６５と穴１２との位置ずれを吸収することが可能となる。
すなわち、複数の歯科模型を技工物スタンドに配置するに際して、ピンが差し込めるように穴（本体）の弾性変形範囲内で穴の形状を変形させることができる。これにより、従来の技工物スタンドでは、配置することができなかった場合でも、技工物スタンド１０によれば配置することが可能となる。
従って、歯科模型を技工物スタンドに配置する際の自由度や容易性を向上させることができる。また、配置の自由度が高いので、複数の歯科模型を１つの技工物スタンドに配置することや、複数のピンを具備する歯科模型を配置するに際してもその利便性が向上する。
【００２１】
このように、本体１１の穴１２はピン５４、６４、６５の位置に合わせるようにその弾性の範囲内で変形できればよい。具体的には、本体１１はヤング率が５ＧＰａ以下の樹脂又はゴムであることが好ましい。そしてそのための材質としては例えばシリコーン、ニトリルゴム、フッ素ゴム、ポリプロピレン、ポリエチレンテレフタレート、ポリカーボネート、ポリアミド、フッ素樹脂等を挙げることができる。また、弾性・耐熱性・耐衝撃性等を向上させるために樹脂にガラス繊維などを含有させた材料や、２種類以上の樹脂を混合した材料であってもよい。
【００２２】
ここで、このような穴１２の変形をさらに容易とするために、隣接する穴１２間に存する本体１１の厚さを、保持力を確保できる範囲で薄くすることが好ましい。
【００２３】
また、図１からわかるように、穴１２は等しいピッチで最密となるように配列されていてもよい。これによれば、穴１２を多く配置することができるので、歯科模型の配置の自由度をさらに高めることができる。従来の技工物スタンドの中には、歯科模型の配置の自由度を高めるために敢えて穴をランダムに配列するものもあるが、本発明によれば穴１２を適切に変形させることができるので、穴１２を等間隔で配置しても歯科模型の配置の自由度を十分に確保することができる。また、このように等間隔に穴１２を設けることによりその製造もしやすくなる。
【００２４】
さらに、保持手段としての穴１２を構成する本体１１は透光性を有する材料により形成されていることが好ましい。これによれば、本体１１を透過して斜め下方からも技工物スタンドに配置された歯科模型上の重合材料に光を照射することができ、従来の技工物スタンドでは光が届かなかった部位にも光を照射することができる。従来では、光が届かなかった部位があったときには、歯科模型の姿勢を変更して改めて光を照射し直す必要があった。これに対して技工物スタンド１０では光の照射のし直しを少なくすることが可能となる。特に、複数の歯科模型を配置した場合には、光が届かない部位が多くなる傾向にあるが、技工物スタンド１０では本体１１を透過した光により、光が届く面積を従来に比べて拡大することが可能である。
従って、効率のよい重合ができる。
【００２５】
具体的な透過率は特に限定されることはないが、本体１１と同じ材質で、本体１１と同じ高さの成形体を作った時（穴１２は形成しない。）、その高さ方向の透過率が５％以上であることが好ましい。特に光重合の場合には重合材料が４７０ｎｍ付近の波長の光で硬化するものが多いことから、少なくと４７０ｎｍにおける透過率が当該高さ方向で５％以上であることがよい。
【００２６】
一方、技工物スタンド１０に用いられる材料はその耐熱温度が８０℃以上であることが好ましい。熱硬化型の重合材料は通常８０℃以上とすることにより硬化するため、耐熱温度を８０℃以上とすることにより、熱硬化型の重合をする際にも技工物スタンド１０を用いることができる。
【００２７】
次に、技工物スタンド１０を用いて歯科補綴物を製造する一つの例を説明する。図３に説明図を示した。
歯科医院等で石膏等により歯列弓の形状を有する歯科模型５１、６１が製作される。次に当該歯科模型５１、６１のうち、歯科補綴物を製造する歯型部位を他の部位との位置関係を崩すことなく個別に取り外すことができるように加工する。また、このとき歯科模型５１、６１のうち、歯型が形成された側とは反対側にピン５４、６４、６５を差し込んで立設させる。
一方、石膏模型５１、６１のうち歯科補綴物を製造する歯型部位の歯型表面には金属等による技工物５２、６２を配置する。そしてさらにその上に重合材料５３、６４が塗布される等して配置される。
【００２８】
このように形成した分割可撤式模型５０、６０を技工物スタンド１０に固定する。具体的にはピン５４、６４、６５を技工物スタンド１０の異なる穴１２、１２、１２のそれぞれに差し込むことによりおこなう。
技工物スタンド１０によれば、本体１１が弾性に優れているので、ピン５４、６４、６５を差し込むに際して該ピン５４、６４、６５と穴１２、１２、１２との位置合わせが容易である。従来の技工物スタンドでは配置することに困難であったものでも技工物スタンド１０によれば容易に配置することができることもある。また、分割可撤式模型６０のように、２本のピン６４、６５を具備するものは、従来では技工物スタンドに配置する際に穴の位置の観点から大きく制限を受けていた。これに対して技工物スタンド１０によればこのような制限を大きく緩和することができる。
【００２９】
技工物スタンド１０に分割可撤式模型５０、６０を固定した後は、これらを重合器内に設置し、光を照射又は加熱することにより重合材料が硬化され、歯科補綴物が製造される。特に、重合材料が光重合型材料であり、これを光重合器で硬化させる場合、技工物スタンド１０の本体１１が透光性を有するものであれば、本体１１を透過した光も光重合型材料を硬化するための光となり、重合の効率を向上させることができる。複数の分割可撤式模型５０、６０を配置した時には、光が当たり難くなる部位が出てくることもあるので、本体１１が透光性を有することによりこれを抑制することができる。
【００３０】
図４は第二実施形態にかかる技工物スタンド２０を表す図で、図４（ａ）が平面図、図４（ｂ）が図４（ａ）にIVb-IVbで示した線に沿った切断面を表す図（端面図）である。
【００３１】
図４（ａ）、図４（ｂ）からわかるように、技工物スタンド２０は有底円筒状の本体２１と、該本体２１の底から円筒内側を通り、開口へ向けて延びるように立設された保持手段としての保持突起２２と、を備えている。
すなわち、本実施形態では保持突起２２が上記した分割可撤式模型５０、６０のピン５４、６４、６５（図３参照）を保持する保持手段として機能する。具体的には、ピン５４、６４、６５が、複数の保持突起２２間に挟まれて保持される。
【００３２】
本実施形態では、本体２１の円筒の軸に直交する断面において、保持突起２２は円形の断面を有している。すなわち保持突起２２は円柱状である。これにより複数の保持突起２２間にピン５４、６４、６５（図３参照）を差し込んだときに該ピン５４、６４、６５と保持突起２２との接触面積を適切なものとすることができる。従って、重合材料を配置した歯科模型を十分に保持しつつもピン５４、６４、６５の抜き差しを容易とすることが可能となる。ただし、これに限定されることはなく、保持突起の断面形状は必要に応じて、楕円形、三角形、矩形、その他の多角形であってもよい。
【００３３】
また、本実施形態では柱状の保持突起を示したが、その先端部が細くなるように断面形状が長手方向で変化する形状であってもよい。これによれば、歯科模型の抜き差しがさらに容易になる。
【００３４】
複数の保持突起は全て同じ断面形状である必要はなく、例えば平面視右半分が円柱状、左半分が三角柱状のように場所により断面形状を変えてもよい。
【００３５】
ここで、複数の保持突起２２の間隔は特に限定されることはないが、少なくともピン５４、６４、６５を保持することができる間隙が形成されることが必要である。
【００３６】
また保持突起２２は、軟らかい材料により形成されており、弾性に富むものとなっている。これにより、保持突起２２の形状を変形させることができる。これによれば、ピン５４、６４、６５の位置と、保持突起２２間の間隙の位置がずれていた場合に、その位置ずれに対して保持突起２２が変形して対応することができ、ピン５４、６４、６５と保持突起２２の間隙との位置ずれを吸収することが可能となる。
すなわち、技工物スタンド２０でも、上記した技工物スタンド１０と同様の効果を奏するものとなる。
【００３７】
また、保持突起２２の好ましい材料や好ましいヤング率、及び本体２１、保持突起２２の透光性、耐熱性については、技工物スタンド１０と同様である。
【００３８】
図５は第三実施形態にかかる技工物スタンド２５の斜視図で、保持手段として保持突起を有する技工物スタンドの他の例を表している。技工物スタンド２５では、基板２６の一方の面から複数の板状の保持突起２７が立設されている。複数の保持突起２７は、その板面を対向するように所定の間隔を有して並列されている。そして、当該保持突起２７が軟らかい材料により形成されており、保持突起２７間にピン５４、６４、６５を挟むようにして歯科模型を保持することが可能である。
従って技工物スタンド２５によっても技工物スタンド２０と同様の効果を奏するものとなる。
【００３９】
図６は第四実施形態にかかる技工物スタンド３０を表す図で、図６（ａ）が平面図、図６（ｂ）が図６（ａ）にVIb-VIbで示した線に沿った切断面を表す図（端面図）である。
【００４０】
図６（ａ）、図６（ｂ）からわかるように、技工物スタンド３０は、第一実施形態の技工物スタンド１０に備えられた穴１２と、第二実施形態の技工物スタンド２０に備えられた保持突起２２を両方備えて構成された技工物スタンドである。より詳しくは次の通りである。
【００４１】
技工物スタンド３０は、有底円筒状の本体３１を有し、当該本体３１の底から立設し、円筒の軸から円筒内面に延びるように配置され、円筒の内側を区切るように設けられた板状の３つの立設壁３２を有している。当該３つの立設壁３２により、立設壁３２と円筒の内面とで囲まれた３つの空間３５、３６、３７が形成されている。
【００４２】
立設壁３２の端面からは、本体３１の円筒の軸方向に平行に立設壁３２の内部を掘り下げるように保持手段を形成する複数の穴３２ａが設けられている。当該穴３２ａは、上記した第一実施形態の技工物スタンド１０の穴１２と同様に設けることができる。
【００４３】
また、空間３５、３６、３７の底からは、本体３１の円筒の開口へ向けて延びるように立設された保持手段としての複数の保持突起３５ａ、３６ａ、３７ａを備えている。当該保持突起３５ａ、３６ａ、３７ａは、上記した第二実施形態の技工物スタンド２０の保持突起２２と同様に設けることができる。
【００４４】
すなわち、本実施形態では、穴３２ａ（立設壁３２の穴３２ａの壁面）及び保持突起３５ａ、３６ａ、３７ａが上記した分割可撤式模型５０、６０のピン５４、６４、６５（図３参照）を保持する保持手段として機能する。具体的には、ピン５４、６４、６５は、穴３２ａに差し込まれたり、保持突起３５ａ、３６ａ、３７ａに挟まれたりして、保持される。
【００４５】
このように、種類の異なる保持手段を備えることにより、色々な種類の歯科模型に対応することができる。
【００４６】
図７は第五実施形態にかかる技工物スタンド４０を表した図で、図７（ａ）は平面図、図７（ｂ）は図７（ａ）にVIIb-VIIbで示した線に沿った断面図である。ただし、図７（ｂ）はわかりやすさのため、部材を分離して表している。
【００４７】
図７（ａ）、図７（ｂ）からわかるように、技工物スタンド４０は、歯科模型保持部材４１と、保持部材受け４４と、を備えている。
【００４８】
歯科模型保持部材４１は、その基本的な構成はこれまで説明した技工物スタンド１０、２０、２５、３０を適用することができる。本実施形態では、その中でも技工物スタンド１０に近い形態ものを例に説明する。
【００４９】
歯科模型保持部材４１は軸方向が直径よりも短い全体として円柱状の部材である本体４２を具備している。そして、本体４２には、円柱状の軸に平行に延びる保持手段としての複数の穴４３が設けられている。本実施形態では穴４３は円柱の軸方向他方の端部に貫通している。
すなわち、本実施形態では穴４３が歯科模型に具備されるピン５４、６４、６５（図３参照）を保持する保持手段として機能する。実際にピン５４、６４、６５保持するのは穴４３が設けられた本体４２の壁面であるが、ここでは当該本体４２の壁面を含めて穴４３を保持手段として説明した。
【００５０】
その他、歯科模型保持部材４１の穴４３の形態や、歯科模型保持部材４１の材質等は上記した技工物スタンド１０と同様である。
【００５１】
保持部材受け４４は、円環状の板部材である基材４５と、該基材４５の一方の面に所定の間隔で配置された４つの脚４６と、を備えている。
【００５２】
基材４５は円環の内径が歯科模型保持部材４１の外径と概ね同じとされ、該円環の穴に歯科模型保持部材４１を挿入することができる。また、基材４５の一方の面には、その面に沿って９０度ずつ間隔をおいて垂下するように縦に配置された板状の脚４６が４つ配置されている。脚４６は、図７（ｂ）からわかるように、切り欠き４６ａを有しており、当該切り欠き４６ａに歯科模型保持部材４１が引っ掛かるように配置される。
【００５３】
従って、保持部材受け４４は、図７（ｂ）に直線矢印で示したように、歯科模型保持部材４１を基材４５の内側に挿入するとともに、脚４６の切り欠き４６ａで受けて保持することができる。
【００５４】
このような技工物スタンド４０によれば、上記した技工物スタンド１０の効果に加え、歯科模型保持部材４１を適宜取り換えることができる。すなわち、保持部材受け４４はその強度を高く形成しておくことにより長い期間使用することができる。そして形状が複雑である歯科模型保持部材４１は小さく、薄く抑えることができ、製造が容易となり、安価で技工物スタンドを提供することも可能となる。
【００５５】
ここで保持部材受け４４を構成する材料は特に限定されることはないが、透光性に優れ、及び／又は８０℃以上の耐熱性に優れることが好ましい。
【符号の説明】
【００５６】
１０  技工物スタンド
１１  本体
１２  穴（保持手段）
２０  技工物スタンド
２１  本体
２２  保持突起（保持手段）
２５  技工物スタンド
２６  基板
２７  保持突起
３０  技工物スタンド
３２ａ  穴（保持手段）
３５ａ、３６ａ、３７ａ  保持突起（保持手段）
４０  技工物スタンド
４１  歯科模型保持部材
４４  保持部材受け
【図１】
0005707179.tif 000002
【図２】
0005707179.tif 000003
【図３】
0005707179.tif 000004
【図４】
0005707179.tif 000005
【図５】
0005707179.tif 000006
【図６】
0005707179.tif 000007
【図７】
0005707179.tif 000008